(57)【要約】【課題】航空機用電気制動機構における正常系システム及び緊急系システムの共通モード障害リスクを軽減すること。【解決手段】本願発明は，いくつかの電気機械制動アクチュエータ（EBA）を備え，正常モードにおいて，制動指令に応答して制動設定値を生成するための制動制御ユニットと，複数の電気機械アクチュエータ制御器（EMAC）であって，それぞれ交流電源によって給電され，制動設定値に応答してEBAに電力を供給する少なくとも一つのインバータをそれぞれ含む電気機械アクチュエータ制御器と，直流電源だけから給電される少なくとも一つの緊急制動電源及び制御ユニット（EBPCU）であって，制動指令に応答してEBAのいくつかに電力を供給する少なくとも一つのインバータを含む緊急制動電源及び制御ユニットと，機構に電力が流れることを防止すると共に，アクチュエータに対してEMAC又はEBPCUが供給する電力を伝えるための保護手段と，を備える。【選択図】図１
2011131879.tif 000002
【特許請求の範囲】
【請求項１】
航空機用非対称電気制動機構であって，被制動車輪の回転を下げるために，選択的に制動力を摩擦部品に加えるための電気機械制動アクチュエータ（EBA）（２）をいくつか備えており，前記機構は，
正常モードにおいて，制動指令に応答して制動設定値を生成するための制動制御ユニット（BCU）（８）と，
複数の電気機械アクチュエータ制御器（EMAC）（３）であって，それぞれ交流電源によって給電され，前記制動設定値に応答して前記EBAに電力を供給する少なくとも一つのインバータをそれぞれ含む電気機械アクチュエータ制御器と，
直流電源だけから給電される少なくとも一つの緊急制動電源及び制御ユニット（EBPCU）（１０）であって，制動指令に応答して前記EBAのいくつかに電力を供給する少なくとも一つのインバータを含む緊急制動電源及び制御ユニットと，
前記機構に電力が流れることを防止すると共に，前記アクチュエータに対して前記EMAC又は前記EBPCUが供給する電力を伝えるための保護手段（１２）と，
を備える機構。
【請求項２】
前記BCU（８）が受信する制動指令は，ブレーキペダル（６）又はパーキングブレーキレバー（７）から伝えられ，前記EBPCU（１０）が受信する制動指令は，前記パーキングブレーキレバー（７）だけから伝えられる請求項１に記載の機構。
【請求項３】
前記車輪それぞれにおいて，前記アクチュエータの第１の半分は第１制御器（３ａ）によって電力供給され，前記アクチュエータの第２の半分は第２制御器（３ｂ）によって電力供給され，前記第２の半分のアクチュエータだけが前記EBPCU（１０）によって電力供給される請求項１に記載の機構。
【請求項４】
特定車輪のアクチュエータに給電する前記EMAC（３）は，前記インバータに給電する交流電源及び前記EMAC（３）の電子カードに給電する直流電源をそれぞれ備える二つの独立電源（AC1，DC1及びAC2，DC2）によって給電される請求項２に記載の機構。
【請求項５】
前記EBPCU（１０）は，前記EMAC（３）に給電する電源とは異なる電源（DCEss，DCBat）によって給電される請求項３に記載の機構。
【請求項６】
前記機構に電力が流れることを防止することによって，前記EMAC（３）又は前記EBPCU（１０）のいずれかによって給電される電力を前記アクチュエータに伝える前記保護手段は，前記EBA（２）それぞれの電力線の共通点の上流に配置された受動及び／又は能動素子（１２）を含む請求項１に記載の機構。
【請求項７】
前記緊急ユニットは，前記の関連するインバータを制御する制動設定値を決定するハードウェア手段を含む請求項１に記載の機構。
【請求項８】
前記電気機械制動アクチュエータはそれぞれ，前記緊急ユニットではなく前記制御器によって給電される固定部品及び／又は回転角検出器を含む請求項１に記載の機構。
【発明の詳細な説明】
【技術分野】
【０００１】
本発明は，航空機用非対称電気制動機構に関する。
【背景技術】
【０００２】
複雑な冗長構成における共通モード障害を防止することは，システム専門家には周知の必須設計処置である。共通モード障害とは，一つの機構内にある，互いに同一又は類似であって，独立とみなされるいくつかの部品に影響する事象である。機構を非対称冗長システムで構成するために異種の技術を用いることによって，共通モード障害の危険性を最小化することができる。
【０００３】
油圧制動機構において非類似性原理を多用するすることは周知である。油圧制動機構に関する例は次のとおりである。
【０００４】
・正常モードにおいては，正常系制動制御ユニット（BCU）と，BCUによって発生された制動設定値をブレーキ用油圧力に変換するサーボ弁（SV）とによって制動が行われる。正常系制動制御ユニットは，ペダルを介して制動指令を受信し，一方サーボ弁は正常系油圧力網によって動作する。
【０００５】
・緊急モードにおいては，緊急系制動制御ユニット（EBCU）及び直接駆動サーボ弁（DDV）によって制動が行われる。
【０００６】
・最終制動は，油圧力の予備蓄積及びパーキング制御レバーからの制動指令によって行っても良い。
【０００７】
この種の機構においては，正常系チャネルと同一の機能部品（制御ユニット，指令／応力変換器）が緊急系チャネルにも用いられ，各機能部品は別々の技術を用いる。技術非対称性は，制動アクチュエータ，特にブレーキ自体にも及ぶ。上述のブレーキは二つの空洞を含んでもよく，一つの空洞は正常系回路の対応するサーボ弁（SV）に接続され，もう一つの空洞は緊急系回路の対応するサーボ弁（DDV）に接続される。あるいは，ブレーキは１個の空洞を備えるだけでもよく，この空洞は分離されている上記二つのチャネルのいずれかから油圧力を受けるシャトル弁と連携する。
【０００８】
電気機械アクチュエータによって電気制動が行われる分野においては，非類似性は一般に制動アクチュエータまでは及ばない。非類似性はアクチュエータのモータの電源を切る装置（通常，電気機械制動アクチュエータ（EBA）に給電する電気機械アクチュエータ制御器（EMAC）に含まれる電気インバータ）に至るまでである。
【０００９】
このような機構を共通モード障害に影響され難くしたいときは，類似しない緊急モードを得るために非対称な方法，すなわちすべての機能部品（BCU，EMAC）を別々の技術を用いることによって重複させることによって，正常系回路を冗長化することが必須である。それでもこのような方法は，寸法及び費用双方の点で非常に高価になるという欠点がある。
【発明の概要】
【発明が解決しようとする課題】
【００１０】
本発明は，正常系システム及び緊急系システムの共通モード障害の危険性を，単なる非類似重複によらないで，減少させることができる革新的な機構を提案するものである。
【課題を解決するための手段】
【００１１】
本発明は航空機用非対称電気制動機構に関し，被制動車輪の回転を下げるために，選択的に制動力を摩擦部品に加えるための電気機械制動アクチュエータ（EBA）をいくつか備えている。この機構は，次に掲げる要素を備える。
【００１２】
正常モードにおいて，制動指令に応答して制動設定値を生成するための制動制御ユニット（BCU）。
【００１３】
複数の電気機械アクチュエータ制御器（EMAC）であって，それぞれ交流電源によって給電され，上記制動設定値に応答して上記EBAに電力を供給する少なくとも一つのインバータをそれぞれ含む電気機械アクチュエータ制御器。
【００１４】
少なくとも一つの緊急制動電源及び制御ユニット（EBPCU）であって，制動指令に応答して上記EBAのいくつかに電力を供給する少なくとも一つのインバータを含む緊急制動電源及び制御ユニット。
【００１５】
上記機構に電力が流れることを防止すると共に，上記アクチュエータに対して上記EMAC又はEBPCUが供給する電力を伝えるための保護手段。
【発明の効果】
【００１６】
このように上記非対称冗長性は，非類似技術を用いて正常系システムの装置を重複させるのではなく，本質的に異なる方法で構成された緊急系システムを提案し，油圧シャトル弁に類似した方法を提供することによって，EMAC又はEBPCUによって供給される電力が真にアクチュエータに伝わり，ほかのシステムに流出しないようにすることができる。
【００１７】
本発明は，本発明の特定の実施例に関する以降の説明を読むことによってよりよく理解できるであろう。
【図面の簡単な説明】
【００１８】
【図１】制動機構の正常動作中の，本発明の特定実施例による非対称制動機構の図である。
【図２】電源のうち一つが失われた後の代替制動中の図１に示す機構の図である。
【図３】正常系システムの必須部品のうち一つが失われた後の緊急制動中の図１に示す機構の図である。
【図４】緊急ユニットを用いた最終制動中の図１に示す機構の図である。
【図５】電気機械アクチュエータ及びEMACの図である。
【発明を実施するための形態】
【００１９】
図１を参照すると，この例による本発明の非対称機構がいくつかの被制動車輪１（当該車輪のうちひとつだけが示されている）を含む航空機に適用されている。この車輪は，電気機械制動アクチュエータ（EBA）２によって互いに押圧されるブレーキディスクを有するブレーキを備えている。この例においてはブレーキは４個のEBAを含む。すべてのブレーキのEBAは，EMAC３ａ,３ｂによって給電され，EMAC３ａ,３ｂはそれぞれ制動設定値（図中のbrk cmd）に応答して考慮下のEBAに電力を供給するインバータ４を含む。この例において各ブレーキのEBAは，二つの別個のEMACによって対で給電される。EMAC３ａは第１直流（DC）電源DC1に接続されて，EMAC３ａに含まれる電子カード（図中のSW）に給電する。一方，EMAC３ｂは第２直流電源DC2に接続されて，EMAC３ｂに含まれる電子カード（図中のSW）に給電する。適切なときはEMACはまた，他の車輪のEBAを制御することもできる。
【００２０】
EMAC３のインバータによって断続（chop）されたのちEBA２に供給される交流（AC）は，２個の電源ユニット（PSU）５からもたらされる。PSU５は，航空機の二つのAC電力網からもたらされる電力を較正する役割をする。
【００２１】
EMAC３ａ,３ｂに供給される制動設定値（図中のbrk cmd）は，ブレーキペダル６又はパーキングブレーキレバー７からもたらされる制動指令を受けて，制動制御ユニットBCU８によって発生される。既知の方法においては，BCU８は二つの計算回路（sys1及びsys2）を備え，各回路は別個のDC電源，それぞれDC1及びDC2によって給電される。BCUを冗長構成とし，これもまた二つの計算回路を備えた少なくとも一つの第２BCUを備えることは既知である。
【００２２】
上述の種々の部品が正常系制動システムを構成している。
【００２３】
本発明によれば，緊急系制動システムは次のように構成される。緊急系制動システムは，アクチュエータ２のうちいくつかのためだけにAC電力を発生するインバータ１１を含む緊急制動電力及び制御ユニットEBPCU１０を備え，この電力は航空機の必須網（DCEss）又は蓄電池（DCBat）のいずれかのDC電力から変換される。この例においては，航空機のEBA２のうち半分（特に，EMAC３ａによって給電されるアクチュエータ）だけがEBPCUによって給電される。この例においては，EBPCU１０はパーキングブレーキレバー７からの信号だけを受信し，ブレーキペダル６からの信号は受信しないことに注意されたい。
【００２４】
このように緊急系システムは完全に非対称である。既知の非類似性原理においては，正常系システムの部品が当該部品を構成するのに用いられる技術を変えて単に重複されるのに対して，この例における緊急系システムは次に示すいくつか点で正常系システムと本質的に異なっている。
【００２５】
・EBPCU１０はパーキングブレーキレバーからの信号だけを受信するが，BCU８はペダル６からの信号及びパーキングブレーキレバー７からの信号を受信する。
【００２６】
・正常系システムにおいては，設定値はインバータを含むEMACユニットとは別のユニット（BCU）において準備されるが，緊急系システムではこれと異なる。
【００２７】
正常系システムのインバータはAC給電されるが，緊急系システムのインバータはDC給電され，その電源はAC電源AC1及びAC2に給電する発電機から独立していると想定される。
【００２８】
正常系システムはすべてのアクチュエータに給電するが，緊急系システムはアクチュエータのうちいくつかだけに給電する。
【００２９】
緊急系システム，特にEBPCUは，関係するインバータを制御するための制動設定値を決定するために，ソフトウェアを含まずに布線論理手段，より一般にはハードウェア手段だけを含むことが好ましい。
【００３０】
考慮下のアクチュエータに関して，緊急系システムの電力線は正常系システムよりも少ない。各EBA２に固定されたパーキング固定部品２ｃ及び回転角検出器（resolver）２ｂ（図５参照）はEBPCUではなく対応するEMACに接続されている。
【００３１】
したがってこの方法で与えられる非対称性は完全であり，正常系システムの各要素を単に非類似的に重複させることに頼っていない。
【００３２】
上記の機構によってブレーキを掛けるために，操縦士は次の制御が可能である。
・航空機の速度を下げるためのブレーキペダル６
・航空機が停止したとき航空機を確実に静止させるため，又は次に説明するように最終ブレーキを掛けるためのパーキングブレーキレバー７
・操縦士が，横滑り防止システムを適用するかどうか指示できるようにする切替えスイッチAS/OFF９
【００３３】
次に，本発明の機構の種々の動作モードを説明する。
【００３４】
正常系システムのすべての要素が機能しており，種々の航空機電源によって正常に給電されているとき，操縦士は次の各モードによってブレーキを掛けることができる。
【００３５】
・正常ブレーキモード：切替えスイッチAS/OFFが横滑り防止（AS）位置にあるとき，操縦士はペダルによって減速度を制御することができる。このとき，BCU８がEMAC３の制動設定値を発生し，所望の減速度で車輪にブレーキを掛けるように，EMACが各EBA２にそれぞれ電力を分配する。
【００３６】
・パーキングブレーキモード：航空機が停止すると，操縦士はパーキングブレーキレバーによってパーキングブレーキを掛けて航空機を確実に静止させることができる。このとき，BCU8がEMAC３の制動設定値を発生し，ブレーキディスクを押圧し，EBA２のプッシャが所定の場所に固定されるまでの間，制動力を維持するように，EMACが各EBA２にそれぞれ電力を分配する。
【００３７】
図２に示すように，航空機の発電機の一つが故障したときは，対応するAC電源及びDC電源（この例では電源AC1及びDC1）が失われることになり，対応するPSUはもはやEMAC３ａに電力を供給する役割をしない。上記EMACの電子カードはもはや給電されない。したがって，EMAC３ａに接続されているEBA２は使用できない。さらに，BCUの計算回路の一つは給電されないため無効になる。それでもなお，引き続き給電されているEMAC３ｂの制動設定値を発生するために，BCU８の第２計算回路（sys2）を用いてブレーキを掛けることができる。このようなブレーキモードは「代替モード」として知られている。このモードにおいては，給電されないEBA２の損失を補うために，有効なEBA２により強い制動力を働かせるように要求することができる。本発明の一つの変形においては，正常系システムが複数のBCU8を含んでもよい。DC電源DC1又はDC2のうち一つが失われると，BCU8はそれぞれ，計算回路のうち一つを失うことになるが，EMAC３すべてに設定値を配信できるように有効な計算回路（引き続いて給電されているもの）を再構成することによって補償することができる。
【００３８】
図３に示す別の状況においては，（例えばソフトウェアに無限ループが生じ，BCU又は共通モード障害のためにEMAC３ａ及び３ｂの双方の計算回路に影響を及ぼしたとき）BCU８又はすべてのEMAC３が障害になり，当然に，もはや正常系システムを用いてブレーキを掛けることはできない。操縦士は，ペダル６を踏んでもブレーキが利かない状況に遭遇する。そして操縦士は切替えスイッチAS/OFF９をOFFの位置にする。これが機構に緊急系システムを起動させるきっかけとなる。このブレーキモードは緊急ブレーキモードとして知られている。このようにしてEBPCU１０が操縦士が作動させたパーキングブレーキレバー７から制動信号を受信し，EBPCUによってブレーキが掛けられる。そしてEBPU１０はパーキングブレーキレバー７の作動に応じて考慮下のEBA２に較正された電力を送信する。この例においては，上記電力はDC電源DCEssから供給される。制動中EBA２のプッシャは，パーキングブレーキが掛けられたときのように所定の位置に固定されることはない。
【００３９】
最後に，図４に示すような危機的状況においては，航空機のすべての発電機が故障した可能性があり，蓄電池以外の電源が得られない。上述の場合と同様，操縦士はペダルを踏んでも何の反応も得られない。そして操縦士は切替えスイッチAS/OFF９をOFFの位置にする。このようにして緊急系システムが起動される。そしてEBPCU１０が操縦士が作動させたパーキングブレーキレバー７から制動信号を受信し，EBPCUによってブレーキが掛けられる。そしてEBPU１０はパーキングブレーキレバー７の作動に応じて考慮下のEBA２に較正された電力を送信する。このように上記電力は蓄電池DCBatだけから供給される。これが最終ブレーキモードである。
【００４０】
バッテリから供給される電力を節約するように設計された特定の実施例においては，最初に応力が加えられた後，EBA２は応力印加位置に固定される。このようにして，蓄電池からの電力を消費することなく制動力が維持される。このため，制動力が印加された後，考慮下のEBAに固定されたロック部品が上記EBA２のプッシャを所定の位置に固定するようにEBPCU１０がプログラムされる。
【００４１】
図５に示す重要な構成においては，緊急系システムが起動され，考慮下のEBA２がEBPCU１０から電力を受電したとき，当該電力はEBA２に向けられ，当該電力が最終的に正常系システムに還流して考慮下のEMAC３を汚染しないようにするのが望ましい。EMAC３のインバータを構成する電力トランジスタは通常非導電性であり，該インバータは通常接続されておらず，それで電力が転流することが防がれているので，EMAC３が適切な動作状態にあるときに緊急系システムを起動しても，電力がEBPCU１０から正常系システムへ廻ることにはならない。しかし，考慮下のEMAC３のうち一つにおいて，例えばトランジスタの一つが故障で導電状態であったときは，状況が異なる。この場合，考慮下のEMAC３は短絡のように振る舞い，EBPCU10によって分配された電力は上記EMACを介して正常系システムへ転流する可能性がある。この問題を解決するため，EBPCU１０によって分配された電力が真にEBA２に向けられ，当該電力が正常系システムに転流しないようにするため，本機構に保護手段を設けることが望ましい。このため，この例におけるEMAC３の出力線にはヒューズ１２が設けられ，このヒューズは，EMAC３のうち一つにおいてトランジスタが導電状態になっている場合，考慮下のEMAC３が給電されているかどうかにかかわらず，電力がEBPCU１０によって電力が給電されているときは，考慮下のEBA２とEMAC３との間のすべての接続を切断するようになっている。この例においては，ヒューズはEBA２とEMAC３との間のすべての接続と，モータ２ａ，回転角検出器２ｂ及びEBA２のパーキング固定部品に給電する線とに配置される。変形例においては，ヒューズによって構成される受動部品に加えて，又は代替として，保護手段は（通常断の）リレーのような能動部品を含んでもよい。
【００４２】
上記に類似して，正常系システムすなわちEMAC３から供給される電力が，EBA２によって消費され，緊急系システムに転流されないようにすることも重要である。このため，EBPCU１０の出力線にもヒューズが備えられて，EBPCU１０のインバータのトランジスタのうち一つが導電状態になっているとき，ヒューズがEBPCU１０と対応するEBA２との間の接続を切断し，EMAC３が給電中は，EMAC３からの電力がEBPCU１０に流れることを防ぎ，当該電力が考慮下のEBA２に向けられる。
【００４３】
このように上記の二つのシステムは互いに絶縁されており，最終的に他方のシステムから供給される電力にさらされることはない。ヒューズ１２は，EMAC及びEBPCU内の，同一アクチュエータにつながっているEMACからの電力線及びEBPCUからの電力線の共通点から上流に設置される。
【００４４】
上述の非対称機構は更に多くの特色を有する。
【００４５】
本発明の特定の態様によれば，切替えスイッチAS/OFF９がAS位置になっている場合に操縦士がパーキングブレーキレバーを使用すると正常系システムが要求され，したがってBCU８は操縦士が，EBA２のプッシャを固定してパーキングブレーキを作動させようとしていることが分かる。しかしこれは航空機がまだ移動しているときには困難である。したがって，操縦士が真にパーキングブレーキを掛けたいのか調べることが好ましい。したがって，航空機が移動しているか停止したかを調べるために，速度情報（航空機の速度又は車輪回転速度）を監視すると有利である。パーキングブレーキは，航空機が停止しているときだけ適用される。例として，切替えスイッチAS/OFF９がAS位置にあるときは，パーキングブレーキレバーが作動しないようにしてもよい。
【００４６】
本発明の別の態様によれば，EBPCU10に給電するために，電源DCEssを電源DC1又はDC2で置き換えることが想定される。電源DCEssは，航空機の左エンジン及び右エンジンによってそれぞれ駆動される発電機から電力を得る電源DC1及びDC2を並列結合したDC電源であることは既知である。このように本機構の非対称性は更に明白である。このようにしてEBPCU１０に電源DC1（又はDC2)と電源DCBatとの間に共通点が作成されるが，決して電源DC1とDC2との間ではない。電力障害がDC1からDCBatに伝ぱしたときでも，電源DC2はまだ正常系システム用に使用でき，当該システムによるブレーキはまだ可能である。
【００４７】
EMAC３又はPSU５が失われたとき，追加のブレーキモード（横滑り防止なしの差動ブレーキ）を構成するために，EBPCU１０にペダル信号６を供給することが更に想定される。
【００４８】
BCU８とEBPCU１０との通信が提供され，それによって，EBPCU10は非常に例外的に使用されるだけなのでEBPCUが正しく動作している調べるために，BCUが定期的にEBPCU１０を試験することが可能になる。
【符号の説明】
【００４９】
１    被制動車輪
２    電気機械制動アクチュエータ
３    電気機械アクチュエータ制御器
４    インバータ
５    電源ユニット
６    ブレーキペダル
７    パーキングブレーキレバー
８    制動制御ユニット
９    切替えスイッチ
１０    緊急制動電源及び制御ユニット
１１    インバータ
１２    ヒューズ
【図１】
2011131879.tif 000003
【図２】
2011131879.tif 000004
【図３】
2011131879.tif 000005
【図４】
2011131879.tif 000006
【図５】
2011131879.tif 000007
【外国語明細書】
2011131879000001.pdf